Podtech/llm-jp-corpus-v4-ja_patent huggingface dataset:
(57)【要約】      （修正有）【課題】櫛体にフレキシブル管に抱合固定した一対の毛髪束体を止め具を使用せずに自毛髪に装着脱できるようにする櫛付きヘアアタッチメントを提供する。【解決手段】プレス加工等で形成した薄板ばね材と所要長の細線を芯としてその外周を合成ゴム膜で被覆したフレキシブル管３を折り曲げて一対にし、さらにこの一対の周囲に所要量の毛髪を抱合固定形成した毛髪束体５を、前記フレキシブル管の折り曲げ部と櫛体１をゴム紐４で捕縛固定して一体化した櫛付きヘアアタッチメントとした。【選択図】図１
0003159203.tif 000002
【実用新案登録請求の範囲】
【請求項１】
プレス加工等で形成した薄板ばね材と所要長の細線を芯としてその外周を合成ゴム膜で被覆したフレキシブル管を折り曲げて一対にし、さらにこの一対の周囲に所要量の毛髪を抱合固定形成した毛髪束体を、前記フレキシブル管の折り曲げ部と櫛体をゴム紐で捕縛固定して一体化した構造を特徴とする櫛付きヘアアタッチメント。
【考案の詳細な説明】
【技術分野】
【０００１】本考案は、髪量、髪型等を補足、補助すべく、人工の毛髪束体と櫛の一部を合体させた頭部へのアアタッチメントに関するものである。
【背景技術】
【０００２】従来、美容室、美容院あるいは自己自身で髪型を整えるときに、自毛髪の量が少なかったり、短か過ぎたりした場合、ヘアピース等のダミー髪型を自毛髪に補足して、頭部に装着するものを用いてヘアメイクすることが多くあり、殆んど装着方式が止め具にピンを用いているものが公知である。【０００３】自毛髪の補足は、既にヘアピース等で補足される製品が一般的であるが、この製品は人工毛髪と複数個の止め具を組み合わせて構成されており、製作工程も多く、手間がかかることから高価となり価格的な問題がある。【０００４】しかも、自毛髪への装着は止め具は上下二枚の薄板開口部に自毛髪の一部を挾み、前記上下二枚に付属のピンを親指と人差し指で押さえ込んで止め具の開口部を閉じるようにしてある。（図示はしていない。）
また、取外しの時もピンを外し止め具を開かなければならない。【０００５】このため、これを装着の場合には、二本の指で行うことが必須となることや、見えない動作となることで周囲の毛髪に絡まったり、さらには必要以上の力で止め具のピンを押し込んで頭皮を損傷し易い問題がある。
【考案の概要】
【考案を解決しようとする課題】
【０００６】本考案においては、櫛体には止め具を一切使用しておらず、自毛髪には櫛目のみで差し込み固定できかつ、前記櫛体にはフレキシブル管に抱合固定した一対の毛髪束体がその屈曲自在により装着時のヘアイメージを斬新化させるとともに装脱着の容易性と安全性を確保し、上述の問題点を解決できる。
【考案を解決するための手段】
【０００７】本考案は、上述の問題点を解決するために、プレス加工等で形成した薄板ばね材の櫛体と所要長の細線を芯としてその外周を合成ゴム膜で被覆したフレキシブル管を折り曲げて一対にし、さらにこの一対の周囲に所要量の毛髪を抱合固定形成した毛髪束体を、前記フレキシブル管の折曲げ部と櫛体をゴム紐で捕縛固定して一体化した構造とし、前記櫛体を頭部にワンタッチで装着脱できるようにしたものである。
【考案の効果】
【０００８】上述のように、考案の櫛付きヘアアタッチメントは、形状的にも長手方向に毛髪束体が単一化されものであることからポニーテールスタイルの髪型に最適であるが、屈曲自在を利して種々の髪型にも応用できる。
【図面の簡単な説明】
【０００９】
【図１】本考案の櫛付きヘアアタッチメントの平面図
【図２】本櫛付きヘアアタッチメントの断面図
【考案を実施する為の形態】
【００１０】本考案の櫛付きヘアアタッチメントの毛髪束体は芯に屈曲自在の針金等の細線からなるフレキシブル管を使用しているので、自在の変形が可能である。
また、櫛体はこの変形により、毛髪束体のつけ根からも屈曲可能なため、櫛歯を自毛髪に対して直角に差し込むことができるので固定状態を保持する。
【実施例】
【００１１】以下、本考案の一実施例を図面に基づき説明すると次のようになる。
図１および図２において、１はステンレス鋼等のばね材を長方形状の短方向に並列に所定の凹凸を歯状にし、さらにその凹凸の歯状に複数の突起部１ｃと長手方向の空間部１ａに複数の小穴１ｂを有するプレスで打ち抜いた櫛体、２は芯として用いる針金からなる細線、３は細線を被覆したフレキシブル管、４はゴム紐、５は人工毛髪を所定量に束ねた毛髪束体により構成されている。
前期櫛体１の凹凸の歯状にある突起部１ｃには自毛髪に装着した時、固定維持役目を果たすよう複数箇所に設けてある。【００１２】５の毛髪束体の先端部５ａは、それぞれ３のフレキシブル管の折り曲げ部の所定の位置で一対になる状態で４のゴム紐で捕縛により固定される。
又、同様に１の櫛体と５の毛髪束体も４のゴム紐で前記１の櫛体の小穴１ｂを介して捕縛により堅固に固定される。【００１３】本考案の一実施例は、上述のごとき構成からなるもので、自毛髪への装着脱を櫛体の凹凸の歯状で差し込み及び差し抜き方式となることからヘアメイクをワンタッチで行える。
【符号の説明】
【００１４】１  櫛体
２  細線
３  フレキシブル管
４  ゴム紐
５  毛髪束体
【図１】
0003159203.tif 000003
【図２】
0003159203.tif 000004
(57)【要約】      （修正有）【課題】傘を掛けて置くときに、滑らず安定して置ける傘を提供する。【解決手段】傘３は、使用者が手で握り持つ持ち手３１、及び持ち手３１に固定して接合する滑り止めクッション３２を備え、滑り難い材質により製造された滑り止めクッション３２は、平面４（テーブル面など）に接触して定位付着作用を形成する。これにより傘３を使用しない時には平面４に掛けて置いても、滑り落ちずに安定した固定効果を実現することができる。【選択図】図３
0003159256.tif 000002
【実用新案登録請求の範囲】
【請求項１】
持ち手、滑り止めクッションを備え、
前記持ち手は、開放端面を備え、
前記滑り止めクッションは、前記開放端面に固定して接合することを特徴とする傘。
【請求項２】
前記持ち手の開放端面は、前記持ち手内部に向い陥没して、凹入部を形成し、
前記滑り止めクッションは、前記凹入部に挿入して固定する凸出部を突出状に形成することを特徴とする請求項１に記載の傘。
【考案の詳細な説明】
【技術分野】
【０００１】
本考案は傘に関し、特に使用しない時に掛けて置く際に、滑らず安定している傘に関する。
【背景技術】
【０００２】
図１に示すように、従来の傘１の一端には、使用者が手で握って持つための持ち手１１を備える。持ち手１１は、滑らかな材質で製造し、開放端面１１１を備える。傘１を使用しない時には、通常は、持ち手１１の開放端面１１１を、平面２(テーブル面など)に接触させ、傘１を平面２に掛けて置く。しかし、持ち手１１は、滑らかな材質により製造し、滑らかであるという特性を備えるため、開放端面１１１が、平面２に接触すると、傘１の重量により降下し、開放端面１１１は、平面２に沿って滑る。これにより、傘１は、平面２より滑り落ち、地上に落下してしまう。すなわち、傘１を平面２に掛けて置く際の安定性は、不良である。本考案は、従来の傘の上記した欠点に鑑みてなされたものである。
【考案の概要】
【考案が解決しようとする課題】
【０００３】
本考案が解決しようとする課題は、使用者が手で握り持つ持ち手、及び持ち手に固定して接合する滑り止めクッションを備える傘を提供することである。
【課題を解決するための手段】
【０００４】
上記課題を解決するため、本考案は下記の傘を提供する。
傘は、持ち手、滑り止めクッションを備え、
該持ち手は、開放端面を備え、
該滑り止めクッションは、該開放端面に固定して接合し、
該持ち手の開放端面は、該持ち手内部に向い陥没して、凹入部を形成し、
該滑り止めクッションは、該凹入部に挿入して固定する凸出部を突出状に形成する。
【考案の効果】
【０００５】
本考案傘は、滑り止めクッションが平面(テーブル面など)に接触して形成する定位付着作用を利用し、傘を使用しない時には平面に掛けて置いても、滑り落ちて地上に落下することはなく、安定した固定効果を実現することができる。
【図面の簡単な説明】
【０００６】
【図１】従来の傘を平面に掛ける際に、該平面から落下する様子を示す平面図である。
【図２】本考案傘第一実施例の滑り止めクッションと持ち手の関連位置を示す断面分解図である。
【図３】本考案傘第一実施例の実施状態を示す断面組合せ図である。
【図４】本考案傘第二実施例の滑り止めクッションと持ち手の関連位置を示す断面分解図である。
【図５】本考案傘第二実施例の実施状態を示す断面組合せ図である。
【考案を実施するための形態】
【０００７】
以下に図面を参照しながら本考案を実施するための最良の形態について詳細に説明する。
【実施例】
【０００８】
図２、３に示すように、本考案傘３第一実施例は、使用者が手で握り持つための持ち手３１、持ち手３１に固定して接合する滑り止めクッション３２を備える。
【０００９】
持ち手３１は、開放端面３１１を備える。滑り止めクッション３２は、滑らない材質により製造し、開放端面３１１に固定して接合する。
【００１０】
図４、５に示すように、本考案傘３第二実施例は、上記した第一実施例から派生した実施例で、本考案傘３第二実施例は同様に、使用者が手で握り持つための持ち手３１、持ち手３１に固定して接合する滑り止めクッション３２を備える。滑り止めクッション３２は、同様に、滑らない材質により製造し、滑らない特性を備える。
【００１１】
持ち手３１は、開放端面３１１を備える。開放端面３１１から持ち手３１内部へと陥没して、凹入部３１２を形成する。滑り止めクッション３２は、凹入部３１２に挿入して固定する凸出部３３を突出状に形成する。
【００１２】
上記した本考案傘３の２種の実施例により、傘３を使用しない時には、滑り止めクッション３２を利用して、平面４に接触させ(図３、５参照)、傘３を平面４に掛けて置くことができる。平面４は、テーブル面、或いは他の平面である。滑り止めクッション３２は、滑らない材質により製造し、滑らない特性を備えるため、滑り止めクッション３２が平面４に接触する時に生じる安定的な付着力により、傘３が重量により降下し、平面４において滑り、地上に落下する恐れを払拭することができる。
【００１３】
本考案は、傘３を使用しない時に平面４に掛けて置く際に、滑り止めクッション３２の滑らない特性により、滑り止めクッション３２は平面４において安定的に接触して支えられ、傘３が平面４から滑り地上に落下する恐れを確実に拭い去ることができる。すなわち、傘３を良好に定位する効果を備える。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案の要件である新規性を備え、従来の同類製品に比べ十分な進歩を有し、実用性が高く、社会のニーズに合致しており、産業上の利用価値は非常に大きい。
【符号の説明】
【００１６】
１  傘
１１  持ち手
１１１  開放端面
２  平面
３  傘
３１  持ち手
３１１  開放端面
３１２  凹入部
３２  滑り止めクッション
３３  凸出部
４  平面
【図１】
0003159256.tif 000003
【図２】
0003159256.tif 000004
【図３】
0003159256.tif 000005
【図４】
0003159256.tif 000006
【図５】
0003159256.tif 000007
(57)【要約】      （修正有）【課題】調理時間を短縮でき、ガスの消費を節約できるガス節約リングを提供する。【解決手段】リングは、帯状の板材で成形され、ガスコンロの五徳の鍋受け部分の下側に装着される。【選択図】図３
0003159138.tif 000002
【実用新案登録請求の範囲】
【請求項１】
帯状の板材で成形したリングをガスコンロの五徳の鍋受け部分の下側に装着し、ガスコンロと鍋等の間から逃げている炎、熱をリングによりさえぎり、より多く鍋等に導く事により調理時間の短縮、ガス使用量の削減を目的とした物である。
【請求項２】
当初からガスコンロの五徳の鍋受けにリングを接着してあり、そのリングにより炎や熱をより多く鍋等に当てる事により、調理時間の短縮＝ガス消費の削減を目的とする物。
【考案の詳細な説明】
【技術分野】
【０００１】本考案は、ガスコンロに関する物である。
【背景技術】
【０００２】ガスコンロで調理等をする場合、鍋底に当たるガスの炎の一部が脇から逃げてしまい、熱効率が悪く無駄である。
【考案の開示】
【考案が解決しようとする課題】
【０００３】帯状の板で成形したリングを五徳に装着する事で脇から逃げているガスの炎、及び熱を、少しでも多く鍋底に当てることで、調理時間を短縮でき、ガスの消費節約を目的としている。
【課題を解決するための手段】
【０００４】本考案は、帯状の板で成型したリングを五徳に装着する事で、そのリングにより、脇から逃げている、炎、及び熱をより多く、鍋底に当て、ガスの消費を節約出来る。
【考案の効果】
【０００５】リングを五徳の下に装着する為、コンロと鍋との間から逃げていたガスの炎、又熱は、リングによってさえぎられ、より多く鍋底に当たる事になり、ガスの消費を抑える事が可能になり、実験の結果、約、平均１１％のガス消費削減の効果がありＣＯ２の発生を少なく出来る。
【考案を実地するための最良の形態】
【０００６】本考案はリング１を帯状の板で成形し、フック２をリング１の穴３に入れ、五徳４の鍋受け５に通し、使用する。
【実地例】
【０００７】五徳４の鍋受け５にリング１に付けたフック２を通し、装着する、ガスコンロ８のガス穴７より噴出したガスの炎はリング１により、さえぎられ、鍋６により多く当たる事になるため、熱効率が改善され、調理時間の短縮となり、しいてはガスの消費を削減でき、ＣＯ２の発生を抑え、温暖化防止に役立つ。
【産業上の利用可能性】
【０００８】市販されているガスコンロの鍋受けは４本、６本、８本と様々であり、リングのフックの数を増減する事で、各社のガスコンロの鍋受けに装着可能である、又、家庭における光熱費はガス代が一番であり、本考案により、ガスの節約が出来、ＣＯ２の削減にもつながり、温暖化防止にもつながる。
【図面の簡単な説明】
【０００９】
【図１】リングの斜視図である。
【図２】フックの斜視図である。
【図３】リング装着時の斜視図である。
【図４】リングの使用状態の断面図
【符号の説明】
【００１０】１      リング
２      フック
３      リングの穴
４      五徳
５      五徳鍋受け
６      鍋
７      ガス穴
８      ガスコンロ
【図１】
0003159138.tif 000003
【図２】
0003159138.tif 000004
【図３】
0003159138.tif 000005
【図４】
0003159138.tif 000006
【手続補正書】
【提出日】平成22年2月15日(2010.2.15)
【手続補正１】
【補正対象書類名】実用新案登録請求の範囲
【補正対象項目名】全文
【補正方法】変更
【補正の内容】
【実用新案登録請求の範囲】
【請求項１】
帯状の板材で成形したリングをガスコンロの五徳の鍋受け部分の下側に装着し、ガスコンロと鍋の間から逃げている炎、熱をリングによりさえぎり、より多く鍋に導く事により調理時間の短縮、ガス使用量の削減を目的とした、ガス節約リング。
【請求項２】
当初からガスコンロの五徳の鍋受けの下側にリングを接着してあり、そのリングにより炎や熱をさえぎり、より多く鍋に当てる事により、調理時間の短縮、及びガス消費の削減を目的とするガス節約リング。
(57)【要約】      （修正有）【課題】現代人の手のサイズに合わせて食器の口径と高さの比などの寸法を見直し、現代人の“手”にフィットした飯碗とお椀を提供する。【解決手段】飯碗とお椀の口径２と高さ１および高台の口径３を数段階のサイズを設けた食器において、前記飯碗とお椀の口径と高さの比が２対１で、かつ、前記高台の口径が４５．５ｍｍから５３．０ｍｍとする。さらに、児童から高齢者までの手にサイズを参考にして、飯碗とお椀の口径、高さ、高台の口径を数段階のサイズを設ける。上記の数段階のサイズの食器は、共通事項として飯碗とお椀の口径と高さの比を２対１とし、高台の口径を手の第２指から第４指の３本の指を合わせたサイズに合わせる。【選択図】図２
0003159135.tif 000002
【実用新案登録請求の範囲】
【請求項１】
飯碗とお椀の口径と高さおよび高台の径を数段階のサイズを設けた食器において、前記飯碗とお椀の口径と高さの比が２対１で、かつ、前記高台の口径が４５．５ｍｍから５３.０ｍｍであることを特徴とする食器。
【考案の詳細な説明】
【技術分野】
【０００１】
本考案は、食器に関するものであり、児童から高齢者までの手のサイズを参考にして、飯碗・お椀の口径、高さ、高台の口径を数段階のサイズにしたものである。
【背景技術】
【０００２】
日常頻繁に利用される茶碗やお椀などの食器には、「手」の大きさなど関係なく商品開発されていて、本考案では手のサイズを考慮して持ちやすく、食べやすく、正しくきれいな持ち方になっている。
【考案の概要】
【考案が解決しようとする課題】
【０００３】
古くから日本人は、身の回りにあるモノのサイズを“手”の大きさで決めていた。
しかしながら今現在、飯碗やお椀のサイズも手の大きさと関係なく作られていた。
お茶碗の口径と高さの関係、高台の口径のサイズなどがそうである。これらが飯碗・お椀の持ちやすさ、食べやすさ、正しい持ち方などを壊していった。
【課題を解決するための手段】
【０００４】
本考案は、飯碗とお椀の口径と高さおよび高台の口径を数段階のサイズを設けた食器において、前記飯碗とお椀の口径と高さの比が２対１で、かつ、前記高台の口径が４５．５ｍｍから５３.０ｍｍであることを特徴とする食器で、具体的には児童から高齢者までの手にサイズを参考にして、飯碗とお椀の口径、高さ、高台の口径を数段階のサイズにしたものである。各種サイズの算出についての根拠は、飯碗とお椀の口径と高さが２対１であること。高台の口径が手の第２指から第４指の３本の指を合わせたサイズであることを基礎データとした。
なお、本考案での「飯碗とお椀」は、陶磁器や陶器の碗と、木製やプラスチックス製の椀を意味する。
【考案の効果】
【０００５】
本考案は、上記構成としたことにより、以下に記載する効果を奏する。
【０００６】
すなわち、本考案では、飯碗とお椀のサイズを「手」のサイズ、飯碗とお椀の口径と高さの両者の関係比率を２対１。この比率では、飯碗とお椀が片手にちょうど収まり、楽々手で持てて、持ちやすく、食べやすく、正しくきれいな持ち方になる。
【図面の簡単な説明】
【０００７】
【図１】手のサイズの寸法を示す側面図である。
【図２】手のサイズの寸法に相当する碗（椀）の高さを、手の第２指から第４指の３本の指を合わせたサイズの寸法に相当する碗（椀）の高台の口径を示す側面図である。
【考案を実施するための形態】
【０００８】
本考案に係る実施例について、図1から図２を参照して以下説明する。
【実施例】
【０００９】
図１は手のサイズの寸法を示す側面図で、寸法ａは親指の高さを示し、寸法ｂは手の第２指から第４指の３本の指を合わせたサイズを示す。
図２は、本考案に係る手のサイズの寸法ａに相当する碗（椀）の高さ1を、手の第２指から第４指の３本の指を合わせたサイズの寸法ｂに相当する碗（椀）の高台の口径２を示す。また、符号３は碗（椀）の口径を示す。
【００１０】
本考案の実施例１においては、飯碗とお椀の口径を111ｍｍ、高さを55.5ｍｍ、
高台の口径45.5ｍｍとした。
【００１１】
本考案の実施例２においては、飯碗とお椀の口径を114ｍｍ、高さを57.0ｍｍ、高台の口径47.0ｍｍとした。
【００１２】
本考案の実施例３においては、飯碗とお椀の口径を117ｍｍ、高さを58.5ｍｍ、高台の口径48.5ｍｍとした。
【００１３】
本考案の実施例４においては、飯碗とお椀の口径を120ｍｍ、高さを60.0ｍｍ、高台の口径50.0ｍｍとした。
【００１４】
本考案の実施例５においては、飯碗とお椀の口径を123ｍｍ、高さを61.5ｍｍ、高台の口径51.0ｍｍとした。
【００１５】
本考案の実施例６においては、飯碗とお椀の口径を126ｍｍ、高さを63.0ｍｍ、高台の口径52.0ｍｍとした。
【００１６】
本考案の実施例７においては、飯碗とお椀の口径を129ｍｍ、高さを64.5ｍｍ、高台の口径53.0ｍｍとした。
【産業上の利用可能性】
【００１７】
本考案は、食器本体の手のサイズを有する構造の茶碗やお椀などの食器であれば、陶器、磁器、プラスチック製容器、ガラス製容器などであってもよい。
【符号の説明】
【００１８】
ａ    親指の高さ
ｂ    手の第２指から第４指の３本の指を合わせたサイズ
１    碗の高さ
２    高台の口径
３    碗（椀）の口径
【図１】
0003159135.tif 000003
【図２】
0003159135.tif 000004
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
食器の口径と高さの比が２対１で、かつ、高台の口径が４５．５ｍｍから５３．０ｍｍであることを特徴とする、飯碗またはお椀である食器。
【手続補正２】
【補正対象書類名】明細書
【補正対象項目名】００１８
【補正方法】変更
【補正の内容】
【００１８】ａ    親指の高さ
ｂ    手の第２指から第４指の３本の指を合わせたサイズ
１    碗の高さ
２    碗（椀）の口径
３    高台の口径
(57)【要約】      （修正有）【課題】軽量、小型で、使用者が手に持って体の各部に簡便に使用できるマッサージ用具を提供する。【解決手段】本体は柔軟性を有する素材、天然又は合成ゴムおよび又は軟質塩化ビニールより成り、同心円の段差をつけた凹部が設けてある端部は樽状を呈し、且つ、両方の端部は同素材より成る６本の棒状の支柱により、夫々同心円状に均一な間隔を持って連繋され一体化されている。【選択図】図１
0003159140.tif 000002
【実用新案登録請求の範囲】
【請求項１】
本体は天然又は合成ゴムおよび又は軟質樹脂（軟質ビニール、軟質ポリエチレン等）等の柔軟材より成り、同心円の段差をつけた凹部３が設けてある端部１，１’は樽状を呈し、且つ、該両方の端部は柔軟材より成る６本の棒状の支柱２ａ〜２ｆで夫々同心円状に均一な間隔を持って連繋され一体化されているマッサージ用具。
【考案の詳細な説明】
【技術分野】
【０００１】  本考案は、手で持って使用するマッサージ用の器具に関するものである。
【背景技術】
【０００２】  従来、マッサージ用具と言えば、大体が電動式であり、手に持って患部に当てるものか全身用としての椅子型などが主たるものであった。
【考案の概要】
【考案が解決しようとする課題】
【０００３】  従来の電動式マッサージ用具は、製品自体が高価であり、利用者自身が手で持つ電動式は硬い材質で作られており重量も重く、長時間の使用において、虚弱者や高齢者などには向いていない物が多かった。また、手動の物は軽い反面、手の平、足裏、指用等特定の部位のみの使用に限られていた。
【課題を解決するための手段】
【０００４】  これらの点を解決するために、柔軟材を用いて、軽量、小型にすることで使用者が手に持って手の平、足、指、肩などの体の各部に簡便に使用できるよう考案されてある。
【考案の効果】
【０００５】  本体は、ゴムなどの柔軟材より成り、樽状を呈する両端部を６本の棒状の支柱で連繋されてある。かような形状の為、ローラー使用法、端部を利用し踏んだり押したりして指圧、端部の一方を持って他方で叩く使用などの使い方でマッサージ効果を得られる。又、軽量であるので、高齢者や虚弱者などでも手軽に使用することができる。
【図面の簡単な説明】
【０００６】
【図１】本体の支柱を一部欠除させた考案の斜視図。
【図２】本考案の特徴的な使い方の例を示す、斜視図。
【考案を実施するための形態】
【０００７】  本体両端部１，１’は、ゴムなどの柔軟材より成り、樽状を呈し、且つ、両端部は柔軟材より成る６本の棒状の支柱２ａ〜２ｆで連繋されてある。連繋に当たっては、同心円状に均一の間隔を持って連繋されている。また、端部は同心円の段差をつけた凹部３が設けてある。図１は１段を描いてあるが、数段設ける、あるいは、両端で段数に差をつける、外側だけでなく内側にも凹部を設ける等、これらは軽量化と端部の柔軟性の向上に寄与するものである。
【０００８】  材質については、天然ゴム又は合成ゴム、及び又は軟質樹脂などが用いられ、軟質樹脂としては、軟質ビニール、軟質ポリエチレンなどがある。また、両端部と支柱は違う材質であってもかまわない。色についても、同様に端部と支柱を同色にする、あるいは違えるなど、製品の制作上の理由によりいずれであってもよい。
【実施例】
【０００９】  本考案の代表的な使い方としては、本考案の支柱の部分を両手で合掌させて挟み、手の平をこすり合わせるようにする、ローラー指圧としての使用がある。同様に手の甲の上に乗せて、反対の手の平で押すようにして転がして、ローラーのように指圧を行う。同様に足の甲やスネの部分、腕などに用いる場合でも支柱部分が柔らかな為、適宜変形して、転がす場合でもうまく密着してマッサージ効果と血行促進の効果を得ることができる。【００１０】  片方の端部をもって他方の端部を叩きつけることで、肩たたきの効果をえることができるが、この場合でも本体自体が柔らかな為、支柱部分の弾性による反発効果と相まって、肩や足腰など叩かれる部分への衝撃が柔らかくすることができる。【００１１】  それ以外に、本考案の特異な例を図２に示す。まず、本考案を２個用意して夫々手の５本指を各支柱間に奥まで挿入する。その状態で両手を握る、開く動作を腕の伸縮運動と組み合わせて行う。また、本体の支柱部を握り、丁度ダンベルの様に持って、上、下、横への腕の曲げ伸ばし運動を行うのに使う等、手の平や指のツボへの刺激により脳の活性化を図る。【００１２】  この運動は認知症の予防と改善に効果が期待されている。又、脳卒中後遺症のリハビリにも効果を少なからず得ることが期待できるものである。このように、本考案の場合では手、指、足、背中、肩等の体の種々のところに用いることが出来、かつ廉価に作ることができる等の利点を多々有するものである。
【符号の説明】
【００１３】１、１’  本体端部
２ａ〜ｆ  支柱
３        凹部
【図１】
0003159140.tif 000003
【図２】
0003159140.tif 000004
【手続補正書】
【提出日】平成22年2月17日(2010.2.17)
【手続補正１】
【補正対象書類名】実用新案登録請求の範囲
【補正対象項目名】全文
【補正方法】変更
【補正の内容】
【実用新案登録請求の範囲】
【請求項１】
本体は柔軟性を有する素材、天然又は合成ゴムおよび又は軟質塩化ビニールより成り、同心円の段差をつけた凹部３が設けてある端部１及び１’は樽状を呈し、且つ、該両方の端部は同素材より成る６本の棒状の支柱２ａ〜２ｆにより、夫々同心円状に均一な間隔を持って連繋され一体化されているマッサージ用具。
(57)【要約】      （修正有）【課題】衛生マスクに付着させ、かつ、簡便に取替可能な殺菌力のあるウェットシートを提供する。【解決手段】衛生マスク本体の取替回数を抑制すべく、精製水又は水性薬剤により湿潤させたシートＡの両サイドに面ファスナーＢを付けて、簡便に衛生マスクに取り付け・取り替え出来る様にする。取り替え時には、ウエットシートのみを取りはずして廃棄し、新たなウエットシートを取付けることで、衛生的で新鮮な保水を維持させることができる。さらに、ウエットシートの鼻の部分に切れ目Ｃを入れて、マスクをすることによる息苦しさを緩和する。切れ目は、口幅より大きめとして、密着しても口元が動き易い様に該ウエットシートを構成する。【選択図】図２
0003159116.tif 000002
【実用新案登録請求の範囲】
【請求項１】
衛生マスクに装着させる湿潤しているウェットシートに関して面ファスナーをシートの両サイドに取り付けて簡便的な取替えシートとする。
シートの鼻に当たる部分に横一文字に長めの切れ目を入れ息苦しくなく密着出来るようにする。
ウエットシートは保水性のある素材に精製水、水性薬剤を染み込ませたものである。
【考案の詳細な説明】
【技術分野】
【０００１】  本考案は、湿潤しているシートの両サイドに面ファスナーを付けることで衛生マスクに簡便に装着させることを可能にし更にシートに切れ目を入れることで息苦しさを緩和した密着タイプのウエットマスクとなるようにするものである。
【背景技術】
【０００２】  空気の乾燥によるのどの痛み、せきなどの原因を和らげ又花粉、粉塵、ウイルスなどの進入を防ぐ衛生マスク・ウエットマスクの殆どが使い捨てとなっている。ウエットシートは精製水とエチルアルコールなど水性薬剤を染みこませたものである。
【考案の概要】
【考案が解決しようとする課題】
【０００３】衛生マスクをウエットマスクへ変えること、マスク本体の取替回数を抑制すること。
【課題を解決しようとするための手段】
【０００４】  本考案は、ウエットシートを面ファスナー式とすることで殆どの衛生マスクにシートを簡便に装着させること及びシートの取替を可能にする。
シートに切れ目を入れることで息苦しさを緩和させる。
【考案の効果】
【０００５】ウエットシートを取り替えることにより衛生的で新鮮な保水を持続させることが出来る。鼻の部分に切れ目が入ることで息苦しさが緩和され、口幅より大き目とすることで密着しても口元は動き易い。。
本案使用により衛生マスク本体の取替回数を抑えられる。
【図面の簡単な説明】
【０００６】
【図１】  本考案のウエットシートの例を示す正面図である。
【図２】  ウエットシートを衛生マスクに装着した例を示す図である
【符号の説明】
【０００７】  Ａ    ウエットシート本体
Ｂ    面ファスナー
Ｃ    切れ目
Ｄ    衛生マスク
【図１】
0003159116.tif 000003
【図２】
0003159116.tif 000004
【手続補正書】
【提出日】平成22年1月29日(2010.1.29)
【手続補正１】
【補正対象書類名】実用新案登録請求の範囲
【補正対象項目名】全文
【補正方法】変更
【補正の内容】
【実用新案登録請求の範囲】
【請求項１】
衛生マスクに取り付ける衛生ウエットシートであって、ウエットシートに精製水又は水性薬材を染み込ませ、ウエットシートの両側に面ファスナーを取り付けたことを特徴とする衛生マスク用ウエットシート。
【請求項２】
ウエットシートの上部に一文字に切れ目を入れたことを特徴とする請求項１に記載の衛生マスク用ウエットシート。
(57)【要約】      （修正有）【課題】夏季の時期だけ使用するだけでなく、団扇・扇子の面部に施された絵柄を観賞用として、又はカレンダーとして、一年中適宜な場所で使用できて、見る人の心を和ませる団扇・扇子を提供する。【解決手段】団扇・扇子の握り部２を基台３の垂直の穴７に差し込んで固定して適宜な場所に飾ることを特徴とする。団扇・扇子の面の部分に適宜な紋様を絵にして、スタンド部分の材質は重みのある石や少し大きな貝殻などを使用して、中心部分に差し込み穴を開け固定し便宜な場所に置いて使用する握りスタンド付団扇・扇子である。【選択図】図４
0003159115.tif 000002
【実用新案登録請求の範囲】
【請求項１】
貝殻の一片を伏せた形状からなる台形状の基台の上面に下方へ向けて垂直の穴を設け、団扇又は団扇の面部の表面または両面にカレンダー表示や絵柄模様を施し、面部の下方に穴に挿入自在とする握り部を設けてなる握りスタンド付き団扇・扇子。
【請求項２】
基台の上面に垂直の穴を２個設け、面部の握り部に下方へ並列して直立する脚部を設け、脚部が穴に挿入自在となる請求項１の握りスタンド付き団扇・扇子。
【考案の詳細な説明】
【技術分野】
【０００１】  本考案は、団扇・扇子は夏季に使用するものであるが、年間を通じ一年中有効に利用出来る握りスタンド付団扇・扇子に関するものである。
【背景技術】
【０００２】  従来、団扇・扇子は夏季に使用するもので、他の季節には、不用のものであった。
【考案の概要】
【考案が解決しようとする課題】
【０００３】  それには次のような問題点があった。
（イ）夏季の暑い時期に使用するものであった。
（ロ）扇ぐとその場所だけ涼しくなって、扇いでるほうの腕が疲れた。
（ハ）手入れの仕方によって破けてしまって処分されてしまう。
本考案は、これらの問題点を解決するためになされたものである。
【課題を解決するための手段】
【０００４】  団扇・扇子の面の部分に適宜な紋様を絵にして、スタンド部分の材質は重みのある石や少し大きな貝殻などを使用して、中心部分に差し込み穴を開け固定し便宜な場所に置いて使用する握りスタンド付団扇・扇子である。
【考案の効果】
【０００５】  夏季の時期だけ使用するだけでなく、団扇・扇子の面部に施された絵柄を鑑賞用として、又はカレンダーとして、一年中適宜な場所で使用できて、見る人の心を和ませ実用的である。
【図面の簡単な説明】
【０００６】
【図１】本考案の第一実施形態の斜視図
【図２】本考案の第二実施形態の斜視図
【図３】本考案の第一実施形態の分離斜視図
【図４】本考案の第二実施形態の分離斜視図
【考案を実施するための形態】
【０００７】  以下、本考案を団扇に施した場合として第一実施の形態について説明する。
（イ）貝殻の一片を形状からなる台形状の基台（３）の上面に、下方へむけて直方体状・垂直の穴（４）を設ける。
（ロ）団扇の面部（１）の表面または両面にカレンダー表示や絵柄模様を施し、部（１）の下端に棒状からなる握り部（２）を設け、握り部（２）は基台（３）の穴（４）に挿入自在にする。
本発明は以上の構成になる。
また、本考案を扇子に実施した場合として第二実施の形態を説明する。
（イ）扇子の面部（１）の表面または両面にカレンダー表示や絵柄模様を施し、面部（１）の下端に握り部（２）を設ける
（ロ）並行して直立する脚部（５）の上端に横軸（６）を橋渡して設け、横軸（６）に握り部（２）を接着などで固定する。
（ハ）貝殻の一片を伏せた形状からなる台形状の基台（３）の上面に、脚部（５）に対応する垂直の穴（７）を２個設け、脚部（５）を垂直の穴（７）に挿入自在とする。
本発明は以上の構成よりなる。
本発明は第一実施の形態も第二実施の形態も、団扇や扇子の面部（１）に施されたカレンダーや絵柄模様を貝殻形状の基台（３）に設置できるので、団扇や扇子を一年中りようして、装飾品として楽しむことができる。
【符号の説明】
【０００９】    １、面部
２、握り部
３、基台
４、穴
５、脚部
６、横軸
７、穴
【図１】
0003159115.tif 000003
【図２】
0003159115.tif 000004
【図３】
0003159115.tif 000005
【図４】
0003159115.tif 000006
(57)【要約】      （修正有）【課題】自動車の走行時間を長くすることができる電機モーター自動車用のシステムを提供する。【解決手段】バッテリーと、バッテリーに接続されたモーターと、モーターに接続された発電機とからなる。バッテリー２０個からインバーターにて交流の電力を取り出すことでモーターを回し、モーターにより発電機を回して電力をバッテリーに充電する。【選択図】図１
0003159119.tif 000002
【実用新案登録請求の範囲】
【請求項１】
バッテリー２０個からインバーターにて交流の電力を取り出すことでモーターを回し、前記モーターにより発電機を回して電力をバッテリーに充電するモーター自動車用のシステムであって、前記発電機の電圧が前記モーターの電圧より小さいもの。
【考案の詳細な説明】
【技術分野】
【０００１】本考案は電機モーター自動車用のシステムに関する。
【図面の簡単な説明】
【０００２】
【図１】モーターを示す図である。
【図２】バッテリーを示す図である。
【考案を実施するための最良の形態】
【０００３】  本考案は、バッテリー２０個からインバーターにて交流の電力を取り出すことでモーターを回し、発電機を回して電力をバッテリーに充電するモーター自動車用のシステムであって、発電機の電圧はモーターの電圧より小さいものとする。具体的には、以下のとおりである。
（１）モーター自動車作りの１２ボルトのバッテリー２０個を使用し、インバーターにて交流の三相２００Ｖに直し交流のモーターを回転させる。
（２）モーターは車によるが、３．６ｋＷよりｋＷの大きいモーターを使用する。
（３）モーターが回転しバッテリーの電圧が少なくなるので直流の発電機をモーターに回し補充する。発電機の電圧は、モーターの電圧より少し小さいものを使用する。
（４）発電機はオルタネーターを使用する。
（５）２ｔ車以上の車は２０個のバッテリーを使用することができるが、普通の乗用車又は軽自動車の場合はバッテリー２０個を１０個に縮小したバッテリーを使用するのがよい。縮小したバッテリーでもインバーターにて交流の三相の２００Ｖに直しモーターを回転し、発電機を回しバッテリー充電をすることができれば長く使用できる。
（６）油は使用しない。
図１は、モーターを示す図であり、変換機とバッテリーを示す図である。
【図１】
0003159119.tif 000003
【図２】
0003159119.tif 000004
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
複数のバッテリーと、前記複数のバッテリーに接続されて回転するモーターと、前記モーターに接続される発電機と、を組み合わせた電機モーター自動車用のシステムであって、
バッテリー２０個からインバーターにて交流の電力を取り出すことでモーターを回し、前記モーターにより発電機を回して電力をバッテリーに充電する電機モーター自動車用のシステム。
(57)【要約】      （修正有）【課題】乾燥時間及び乾燥状態を促進させる吊り下げ式回転機を提供する。【解決手段】洗濯物（ハンガー・パラソルハンガー）及び乾燥を要するものを回転させることにより乾燥時間・乾燥状態を促進させることが出来る。室外・室内において洗濯物（ハンガー・パラソルハンガー）に本回転機を使用することによりわずかな風力でハンガー・パラソルハンガーを回転させ乾燥状態を促進させる。物干し竿４にＳフック１を掛け本回転機２を取り付け洗濯物８（ハンガー・パラソルハンガー３）を吊り下げる。室内では、鴨居等にフック１を吊り下げ、扇風機等で風を当て洗濯物８（ハンガー・パラソルハンガー３）を回転させる。【選択図】図１
0003159120.tif 000002
【実用新案登録請求の範囲】
【請求項１】
吊り下げ方回転機はベアリングを使用し、洗濯物（ハンガー・パラソルハンガー）に、吊り下げわずかな風の力により洗濯物（ハンガー・パラソルハンガー）を回転させる。
【考案の詳細な説明】
【技術分野】
【０００１】  本考案は，洗濯物（ハンガー・パラソルハンガー）を本回転機に吊り下げ風力で回転させ乾燥を促進させることに関するものである。
【背景技術】
【０００２】  洗濯物（ハンガー・パラソルハンガー）では日差し・風を同一方向から受けるため洗濯物の乾燥状態が一定しない問題がある。
【考案の概要】
【考案が解決しようとする課題】
【０００３】  解決しようとする問題点は、室内での乾燥では、日差し・風を受けることが出来ない為乾燥時間が長くなる。
【課題を解決するための手段】
【０００４】  本考案は、洗濯物（ハンガー・パラソルハンガー）を回転させることにより乾燥時間及び乾燥状態を促進させることが、最も重要な特徴とする。
【考案の効果】
【０００５】  本考案の回転機は、室内において回転機に吊り下げた洗濯物（ハンガー・パラソルハンガー）に扇風機等を当て、ハンガー・パラソルハンガーを回転させ乾燥時間及び乾燥状態を促進させることができる。
【図面の簡単な説明】
【０００６】
【図１】  本考案の吊り下げ式回転機の実施例を示す正面図である。
【図２】  本回転機の一部切断図である。
【考案を実施する為の形態】
【０００７】  室外・室内において洗濯物（ハンガー・パラソルハンガー）に本回転機を使用することによりわずかな風力でハンガー・パラソルハンガーを回転させ乾燥状態を促進させる。
【実施例】
【０００８】  ４の物干し竿等に１のＳフックを掛け２の本回転機を取り付け８の洗濯物（３ハンガー・パラソルハンガー）を吊り下げる。【０００９】  室内では、鴨居等に１のＳフックを掛け２の本回転機を取り付け８の洗濯物（３ハンガー・パラソルハンガー）を吊り下げ、扇風機等で風を当て８の洗濯物（３ハンガー・パラソルハンガー）を回転させる
【符号の説明】
【００１０】      １  Ｓフック
２  回転機
３  ハンガー・パラソルハンガー
４  物干し竿
５  ベアリング
６  ビス
７  シャフト
８  洗濯物
【図１】
0003159120.tif 000003
【図２】
0003159120.tif 000004
【手続補正書】
【提出日】平成22年2月4日(2010.2.4)
【手続補正１】
【補正対象書類名】実用新案登録請求の範囲
【補正対象項目名】全文
【補正方法】変更
【補正の内容】
【実用新案登録請求の範囲】
【請求項１】
吊り下げ式回転機であって、本体カバーと、前記本体カバーに外径を固定されたベアリングと前記、ベアリングの内径部に挿入されることによって、前記、本体カバーに取り付けられた回転シャフトと、前記、吊り下げ式回転機を、物干し竿に掛けるためのＳフックを通すために前記、回転シャフトにもうけられた穴と、前記本体カバーにもうけられ、ハンガー又はパラソルハンガーを吊り下げるための取り付け部とを有する吊り下げ式回転機。
【手続補正２】
【補正対象書類名】明細書
【補正対象項目名】全文
【補正方法】変更
【補正の内容】
【考案の詳細な説明】
【技術分野】
【０００１】  本考案は，吊り下げ式回転機にハンガー及びパラソルハンガーを吊り下げ風力で回転させ、ハンガー及びパラソルハンガーの洗濯物の乾燥を促進させることに関するものである。
【背景技術】
【０００２】  ハンガー及びパラソルハンガーでは日差し・風を同一方向から受けるため洗濯物の乾燥状態が一定しない問題がある。
【考案の概要】
【考案が解決しようとする課題】
【０００３】  解決しようとする問題点は、室内での乾燥では、日差し・風を受けることが出来ない為乾燥時間が長くなる。
【課題を解決するための手段】
【０００４】  本考案は、ハンガー及びパラソルハンガーを回転させることにより乾燥時間及び乾燥状態を促進させることが、最も重要な特徴とする。
【考案の効果】
【０００５】  本考案の吊り下げ式回転機は、室内において吊り下げ式回転機に吊り下げたハンガー及びパラソルハンガーの洗濯物に、エアコン、扇風機等の風を当てて回転させ洗濯物の乾燥時間、乾燥状態を促進させることができる。
【図面の簡単な説明】
【０００６】
【図１】  本考案の吊り下げ式回転機の実施例を示す正面図である。
【図２】  吊り下げ式回転機の一部切断図である。
【考案を実施する為の形態】
【０００７】  室外・室内において吊り下げ式回転機にハンガー及びパラソルハンガーを吊り下げわずかな風力でハンガー及びパラソルハンガーを回転させ洗濯物の乾燥状態を促進させる。
【実施例】
【０００８】  ４の物干し竿に１のＳフックを掛け７の回転シャフトの穴にＳフックを通し、２の吊り下げ式回転機の取り付け部に３のハンガー及びパラソルハンガーを吊り下げる。【０００９】  室内では、吊り下げる物に１のＳフックを掛け７の回転シャフトの穴にＳフックを通し２の吊り下げ式回転機の取り付け部にハンガー及びパラソルハンガーを吊り下げエアコン、扇風機でハンガー及びパラソルハンガーに掛けた８の洗濯物に風を当て３のハンガー及びパラソルハンガーを回転させる。
【符号の説明】
【００１０】  １  Ｓフック
２  本体カバー
３  ハンガー、パラソルハンガー
４  物干し竿
５  ベアリング
６  ねじ
７  回転シャフト
８  洗濯物
(57)【要約】      （修正有）【課題】使用する人の肩幅に調節出来るハンガー用肩パッドを提供する。【解決手段】肩パッドの内側に、紐や棒を保持するクリップ部分とクイックロン（登録商標）を装着しズレ防止部分とする。ハンガー本体の端に取付けるキャップの先端にクイックロン（登録商標）を装着し前記ズレ防止部分と着脱可能な構造とする。【選択図】図１
0003159117.tif 000002
【実用新案登録請求の範囲】
【請求項１】
肩パッドの内側に紐や棒を保持するクリップ部分とズレ防止部分を持たせた構造とバンガー本体の端に取付けるキャップに前記ズレ防止部分とを着脱可能な構造としたハンガー用肩パッドである。
前記ズレ防止部分と前記キャップとの結合方法としてマジックテープ等を用いる。
【考案の詳細な説明】
【技術分野】
【０００１】この考案は、衣類等を掛けるハンガーに関するものである。
【背景技術】
【０００２】細いハンガー、特に肩の位置の部分が細いハンガーの衣類の型崩れを防止したかった。
【考案の開示】
【考案が解決しようとする課題】
【０００３】（イ）使用する人の肩幅に調節出来るハンガー装着構造が必要だった。
（ロ）肩パッドを装着した後は、動くのを防止する構造が必要だった。
【課題を解決するための手段】
【０００４】板、曲板等で作った肩パッドの裏側に出来るだけ長めにハンガーの紐や棒を保持するクリップ部（接着、溶着等方法問わず）を設ける。クリップ部は紐や棒を差込んだ後抜けない様に、適度の挟む力を持たせる。又、肩パッドの位置を固定させる為にマジックテープ等を貼り付けたズレ防止部を設ける。
このズレ防止部とキャップに設けたマジックテープ等を結合させ固定する構造とした。
キャップは、ハンガー端に差込める様に上面に切り込みを入れ、切れ込みの端には、ハンガーから取れない様に適度な穴を空け、先端を斜面にし、その斜面にマジックテープ等を貼り付けた構造としておく。
【考案の効果】
【０００５】（イ）既存のハンガーに付加価値として、型崩れ防止機能を持たせる事が可能となった。
（ロ）衣類の大きさに応じて幅を調整する事で型崩れ防止機能機能を持たせる事が可能となった。
本考案は以上の構成からなるハンガー用肩バッドの考案である。
【考案を実施するための最良の形態】
【０００６】
【実施例】
【０００７】肩パッドの裏側のクリップ部をハンガーの紐や棒に差込んだ後、ハンガーの両端に取り付けたキャップのマジックテープ等の部分と肩バッドのズレ防止部分を結合する。
【産業上の利用可能性】
【０００８】
【図面の簡単な説明】
【０００８】
【図１】肩パッドを装着した全体図である。
【図２】肩パッドの裏側−拡大図
【図３】キャップの正面図である。
【図４】キャップの上から見た図である。
【符号の説明】
【０００９】Ａ      ハンガー
Ｂ      肩パッド
Ｃ      紐や棒を保持するクリップ部分
Ｄ      ズレ防止部分−マジックテープ等
Ｅ      キャップ
Ｆ      ズレ防止部分と結合するキャップの結合部−マジックテープ等
Ｇ      ハンガーを差込んで保持する部分
【図１】
0003159117.tif 000003
【図２】
0003159117.tif 000004
【図３】
0003159117.tif 000005
【図４】
0003159117.tif 000006
【手続補正書】
【提出日】平成22年2月9日(2010.2.9)
【手続補正１】
【補正対象書類名】実用新案登録請求の範囲
【補正対象項目名】全文
【補正方法】変更
【補正の内容】
【実用新案登録請求の範囲】
【請求項１】
肩パッドの内側に、紐や棒を保持するクリップ部分とクイックロン（登録商標）を装着しズレ防止部分とした構造であり、バンガー本体の端に取付けるキャップの先端にクイックロン（登録商標）を装着し前記ズレ防止部分と着脱可能な構造としたハンガー用肩パッドである。
【手続補正２】
【補正対象書類名】明細書
【補正対象項目名】全文
【補正方法】変更
【補正の内容】
【考案の詳細な説明】
【技術分野】
【０００１】この考案は、衣類等を掛けるハンガーに関するものである。
【背景技術】
【０００２】特に肩の位置の部分が細いハンガーによる衣類の型崩れを防止したかった。
【考案の開示】
【考案が解決しようとする課題】
【０００３】（イ）使用する人の肩幅に調節出来るハンガー装着構造が必要だった。
（ロ）肩パッドを装着した後は、動くのを防止する構造が必要だった。
【課題を解決するための手段】
【０００４】板、曲板等で作った肩パッドの裏側に出来るだけ長めにハンガーの紐や棒を保持するクリップ部（接着、溶着等方法問わず）を設ける。クリップ部は紐や棒を差込んだ後抜けない様に、適度の挟む力を持たせる。又、肩パッドの位置を固定させる為にクイックロン（登録商標）等を貼り付けたズレ防止部を設ける。
このズレ防止部とキャップに設けたクイックロン（登録商標）等を結合させ固定する構造とした。
キャップは、ハンガー端に差込める様に上面に切り込みを入れ、切れ込みの端には、ハンガーから取れない様に適度な穴を空け、先端を斜面にし、その斜面にクイックロン（登録商標）等を貼り付けた構造としておく。
【考案の効果】
【０００５】（イ）既存のハンガーに付加価値として、型崩れ防止機能を持たせる事が可能となった。
（ロ）衣類の大きさに応じて幅を調整する事で型崩れ防止機能機能を持たせる事が可能となった。
本考案は以上の構成からなるハンガー用肩バッドの考案である。
【図面の簡単な説明】
【０００６】
【図１】肩パッドを装着した全体図である。
【図２】肩パッドの裏側−拡大図
【図３】キャップの正面図である。
【図４】キャップの上から見た図である。
【考案を実施するための形態】
【０００７】
【実施例】
【０００８】肩パッドの裏側のクリップ部をハンガーの紐や棒に差込んだ後、ハンガーの両端に取り付けたキャップのクイックロン（登録商標）等の部分と肩バッドのズレ防止部分を結合する。
【産業上の利用可能性】
【０００９】クリーニングに出した際に付いてくるワイヤーハンガー等に装着する事で、肩崩れ起こりにくいハンガーとなり、再利用の促進につながります。
【符号の説明】
【００１０】Ａ        ハンガー
Ｂ        肩パッド
Ｃ        紐や棒を保持するクリップ部分
Ｄ        ズレ防止部分−クイックロン（登録商標）等
Ｅ        キャップ
Ｆ        ズレ防止部分と結合するキャップの結合部−クイックロン（登録商標）等
Ｇ        ハンガーを差込んで保持する部分
【手続補正３】
【補正対象書類名】図面
【補正対象項目名】図４
【補正方法】変更
【補正の内容】
【図４】
0003159117.tif 000007
(57)【要約】      （修正有）【課題】ベビーカーの車輪に簡便に装着出来る、ベビーカー専用そりを提供する。【解決手段】簡便にベビーカーの車輪６に装着出来る樹脂製の板状とし、且つ、底面は溝きり３とむくり型、尾部には足ふみ型のストッパー５をつけ、脱着が容易な形状としたもので、その板と一体になった車軸固定リブ板２にベビーカーの車軸をしっかり固定する。車軸固定リブで車輪をはめ込み固定することで脱着が簡便な形状となり、乳幼児を持つ親の買い物時などは積雪面とドライ面の両面対応が自由になり、ベビーカー専用そりとして有用で、合理的である。【選択図】図１
0003159112.tif 000002
【実用新案登録請求の範囲】
【請求項１】
ベビーカーの車輪に簡便に装着出来、その車軸にしっかり固定するリブ板付板状のものであり、安定性があり、脱着が容易なところを特徴とする、積雪地対応の、ベビーカー専用そり。
【考案の詳細な説明】
【技術分野】
【０００１】  本考案は積雪地の雪道に対応するもので、ベビーカーの車輪に簡便に装着出来る、ベビーカー専用そりに関するものである。
【背景技術】
【０００２】  ベビーカーの車輪は積雪地の雪道では、安定した走行が困難で、乳幼児を持つ親は、ベビーカーの使用をあきらめるか、一般的なそりでの利用が多かったが、子連れの買い物時などはどうしても、ベビーカーの利用としたいが、積雪面とドライ面の両方への対応が不可欠であり、その両面対策として、ベビーカーの車輪に装着出来る、ベビーカー専用そりが求められていた。
【考案の開示】
【考案が解決しようとする課題】
【０００３】  ベビーカー専用そりとして、軽量、且つ、脱着容易で、方向性に安定し、簡単なストップ機能まで持ち合わせたもので、簡便にベビーカーの車輪に装着据付が可能な形態であり、積雪面、ドライ面の両面対応が可能となり、前述の問題を解決するものである。
【課題を解決するための手段】
【０００４】  本考案は積雪地対応で、簡便にベビーカーの車輪に装着出来る樹脂製の板状とし、且つ、底面は溝きりとむくり型、尾部には足ふみ型のストッパーをつけ、脱着が容易な形状としたもので、その板と一体になった車軸固定リブ板にベビーカーの車軸をしっかり固定するもので、問題を解決している。
【考案の効果】
【０００５】  上述の様に、車軸固定リブで車輪をはめ込み固定するようにし、脱着が簡便となる形状となり、乳幼児を持つ親の買い物時などは積雪面とドライ面の両面対応が自由になり、ベビーカー専用そりとして有用で、合理的である。
【考案を実施するための最良の形態】
【０００６】  簡便にベビーカーの車輪に装着出来るリブ板付板状のものとして、且つ、底面は溝きりとむくり型、尾部には足ふみ型のストッパーをつけたもので、脱着が容易な形状とする。
【実施例】
【０００７】  添付図に従って実施例を説明する。これは簡便にベビーカーの車輪に装着出来る、ベビーカー専用そりであり、１．は樹脂製の板型そり本体であり、２．は本体と一体な樹脂製の車軸固定リブ板であり、３．は同板の方向性安定のための溝きりであり、４．は回転しやすくするムクリであり、５．は足ふみストッパーである。
【産業上の利用可能性】
【０００８】  冬季間、乳幼児を持つ親の買い物時など、道路などの積雪面とドライ面の両方へのベビーカー使用が不可欠であり、その両面対策として、車輪に簡便に装着出来る、ベビーカー専用そりは、同ユーザー対応付加価値商品となりうる。
【図面の簡単な説明】
【０００９】
【図１】本考案の姿図
【図２】本考案の収容時姿図
【符号の説明】
【００１０】１  樹脂製の板型そり本体
２  樹脂製車軸固定リブ板
３  方向性安定のための溝きり
４  回転しやすくするムクリ
５  足ふみストッパー
６  ベビーカー車輪
【図１】
0003159112.tif 000003
【図２】
0003159112.tif 000004